(57)【特許請求の範囲】
【請求項１】
正面を前方の作業空間に向けて設置された取付基体の側面から、内部に流路を有する、シャワーヘッドの掛止部を備えたシャワーフックが側方に突き出しているとともに、該シャワーフックには前記内部の流路に繋がる吐水部が備えられていることを特徴とする水栓装置。
【請求項２】
請求項１において、一方の端部が前記シャワーヘッドに接続されたシャワーホースの他方の端部が前記吐水部に接続してあることを特徴とする水栓装置。
【請求項３】
請求項１，２の何れかにおいて、前記取付基体が上向きに起立する形態で設置された柱体であり、全体として水栓柱を成していることを特徴とする水栓装置。
【請求項４】
請求項１〜３の何れかにおいて、前記取付基体の上端部にハンドルが設けてあることを特徴とする水栓装置。
【請求項５】
請求項１〜４の何れかにおいて、前記取付基体の、前記シャワーフックとは反対側の側面に、水栓が設けてあることを特徴とする水栓装置。
【請求項６】
請求項５において、前記水栓装置は湯水混合水栓装置であり、前記水栓は水配管の側に且つ該水配管の分岐流路に接続状態に設けてあることを特徴とする水栓装置。
【請求項７】
請求項１〜６の何れかにおいて、前記シャワーフックの前記掛止部は、前記シャワーヘッドの被掛止部分をシャワー吐水口が前方斜め下向きとなる前方斜め上向きに保持するものとなしてあることを特徴とする水栓装置。
【発明の詳細な説明】
【技術分野】
【０００１】
この発明は特に水栓柱等に適用して好適な水栓装置に関する。
【背景技術】
【０００２】
従来、庭や車庫等の屋外に、ペットを洗ったり、庭仕事の後に機材その他を洗ったりする等の目的で、上向きに起立して設けられた柱体に水栓器具を備えて成る水栓柱を設置することが行われている。
例えば下記特許文献１にこの種の水栓柱が開示されている。
【０００３】
図５はこの種水栓柱として従来公知の一例を示している。
図において２００は柱体（取付基体）で、内部に配管が施されている。この柱体２００の上部且つ正面からは水栓本体２０２が前方に突き出しており、その上部に吐水及び止水を行うための操作ハンドル２０４が設けられている。
【０００４】
また水栓本体２０２からは更にその前方に、吐水口２０６を有する吐水管（吐水部）２０８が突き出している。
水栓本体２０２からはまた、シャワーホース２１０が延び出しており、その先端がシャワーヘッド２１２に接続されている。
柱体２００の側面には、シャワーフック２１４が側方に突き出すように設けられている。
このシャワーフック２１４は掛止孔（掛止部）２１６を有しており、そこにシャワーヘッド２１２の基部、詳しくは被掛止部２１８が挿込状態に掛止されている。
【０００５】
ここで掛止孔２１６は垂直方向を向いており、シャワーヘッド２１２の被掛止部２１８は、かかる掛止孔２１６によって垂直上向きに保持されている。
図５は従来の水栓柱の一例を示したものであるが、図５に示すように従来の水栓柱は水栓本体，吐水部，操作ハンドル等が柱体の正面から前方の作業空間に向けて大きく突出した形態をなしている。
このためこれらが、前方の作業空間で使用者が作業を行う際の邪魔になったり圧迫感を与えてしまう問題があり、そこで使用者は水栓柱から遠い位置での作業を余儀なくされていた。
【０００６】
この種水栓柱は狭い庭に設置されるといったことも多く、この場合水栓柱の前方に広い空間を確保することが困難で、水栓本体や吐水部等が水栓柱から前方に大きく突き出していると、水栓柱の前方の作業空間が狭く限定されてしまい、その結果水栓柱を使った作業が行い辛く、作業空間を広く快適に使用できないといった問題が生じていた。
【０００７】
図５に示した水栓柱の場合、シャワーヘッド２１２を保持するためのシャワーフック２１４については柱体２００の側面から側方に突き出す形態で設けられているが、そのシャワーヘッド２１２に対して水を供給するためのシャワーホース２１０そのものが水栓柱の正面位置の、即ち前方に突き出した水栓本体２０２から延び出しており、従って水栓柱の側面にシャワーフック２１４が設けられていても、水栓柱の前方にシャワーホース２１０が残り、このシャワーホース２１０が前方の作業空間での作業に際して障害になるといった問題を有している。
【０００８】
更にまた図５に示す水栓柱の場合、シャワーフック２１４がシャワーヘッド２１２、具体的にはその基部である被掛止部２１８を垂直上向き姿勢に保持するものであるため、使用者が水栓柱に近い位置で作業をすると、シャワーヘッド２１２からのシャワー水が使用者自体に降りかかってしまう。
従って使用者がシャワー水を使って器具洗い等を行う場合には、やはり水栓柱から作業者自身が遠く離れて作業をせざるを得ず、この場合においても水栓柱を使った作業が行い辛いといった問題を生ずる。
【０００９】
以上の問題は水栓柱において特に大きな問題となるが、このような水栓柱に限らず、キャビネットその他の取付基体に水栓器具を取り付けて水栓装置を構成する場合においても同様の問題が生じる。
【００１０】
【特許文献１】特開２００１−２８８７８５号公報
【発明の開示】
【発明が解決しようとする課題】
【００１１】
本発明は以上のような事情を背景とし、水栓装置の前方に広い作業空間を確保し得て、水栓装置を用いた作業を快適に行うことができ、しかも使い勝手の良い水栓装置を提供することを目的とする。
また本発明の他の目的は、シャワーヘッドからのシャワー水が使用者に向って遠くまで降りかかって来る問題を解決してシャワー水を用いた作業を作業性良く良好に行うことのできる水栓装置を提供することを目的とする。
【課題を解決するための手段】
【００１２】
而して請求項１のものは、正面を前方の作業空間に向けて設置された取付基体の側面から、内部に流路を有する、シャワーヘッドの掛止部を備えたシャワーフックが側方に突き出しているとともに、該シャワーフックには前記内部の流路に繋がる吐水部が備えられていることを特徴とする。
【００１３】
請求項２のものは、請求項１において、一方の端部が前記シャワーヘッドに接続されたシャワーホースの他方の端部が前記吐水部に接続してあることを特徴とする。
【００１４】
請求項３のものは、請求項１，２の何れかにおいて、前記取付基体が上向きに起立する形態で設置された柱体であり、全体として水栓柱を成していることを特徴とする。
【００１５】
請求項４のものは、請求項１〜３の何れかにおいて、前記取付基体の上端部にハンドルが設けてあることを特徴とする。
【００１６】
請求項５のものは、請求項１〜４の何れかにおいて、前記取付基体の、前記シャワーフックとは反対側の側面に、水栓が設けてあることを特徴とする。
【００１７】
請求項６のものは、請求項５において、前記水栓装置は湯水混合水栓装置であり、前記水栓は水配管の側に且つ該水配管の分岐流路に接続状態に設けてあることを特徴とする。
【００１８】
請求項７のものは、請求項１〜６の何れかにおいて、前記シャワーフックの前記掛止部は、前記シャワーヘッドの被掛止部分をシャワー吐水口が前方斜め下向きとなる前方斜め上向きに保持するものとなしてあることを特徴とする。
【発明の作用・効果】
【００１９】
以上のように本発明の水栓装置は、取付基体の側面から内部に流路を有する、シャワーヘッドの掛止部を備えたシャワーフックを側方に突き出させ、そしてそのシャワーフックに、内部の流路に繋がる吐水部を備えたもので、シャワーフックが取付基体の正面に位置せず、その側面から側方に突き出す形態を成しているため、取付基体の正面の前方に広い作業空間を確保し、取付基体の前方において広い作業空間を快適に使用して器具洗いその他の作業を行うことができる。
【００２０】
更にそのシャワーフックには内部に流路が形成されているとともに、その内部の流路に繋がる吐水部が同じくシャワーフックに備えられているため、その吐水部にシャワーホースを接続することができる。
この場合において、一方の端部がシャワーヘッドに接続されたシャワーホースの他方の端部をその吐水部に接続することで、図５に示す水栓装置のように取付基体の正面位置にシャワーホースが存在してこれが邪魔になると言った問題を解決することができる。またシャワーホースの一端部と他端部とが、同じシャワーフックに位置することとなるため、シャワーホースが広い範囲、広い距離に亘って延在せず、作業中に身体の一部や器具等がシャワーホースに引っ掛かってしまって作業性が悪化するといった問題を回避できる。即ちシャワーホースによる障害を避けて作業しなくても良く、作業性が良好となる（請求項２）。
【００２１】
請求項３は、取付基体を上向きに起立する形態で設置された柱体とし、全体として水栓柱となしたもので、多くは狭い庭等に設置され、従って前方に広い空間を確保することが困難な水栓柱に適用して特に効果の大なるものである。
【００２２】
また本発明では、取付基体の上端部にハンドルを設けることができる（請求項４）。
【００２３】
請求項５のものは、取付基体の、シャワーフックとは反対側の側面に、水栓を設けたもので、この場合、水栓が取付基体の正面位置に無く、その側面に設けてあるため、取付基体の正面の前方において水栓が作業の邪魔になるといったことがなく、取付基体の前方に広い作業空間を確保し得て、その作業空間を使って快適に水栓を用いた作業を行うことができる。
【００２４】
この場合、水栓装置を湯水混合水栓装置として構成するとともに、上記のシャワーフックとは反対側の側面に設けた水栓については、水配管の側に且つ水配管の分岐流路に接続状態に設けておくことができる（請求項６）。
【００２５】
また本発明において、シャワーフックの掛止部は、シャワーヘッドの被掛止部分を、シャワー吐水口が前方斜め下向きとなる前方斜め上向きに保持するものと成しておくことができる（請求項７）。
このようにシャワーフックの掛止部によってシャワーヘッドの被掛止部分を前方斜め上向きに保持するように成しておけば、図５に示しているようにシャワーヘッドの被掛止部分を垂直上向き姿勢に保持した場合のように、シャワーヘッドからのシャワー水が使用者に向って前方の遠い位置まで降りかかるといったことがなく、シャワー水をシャワーヘッドに近い位置に向けて、例えば洗浄対象とする器具等に向けて下向きに吐水することができる分この結果作業者はシャワーヘッドに近い位置で作業を行うことが可能となり、作業性良くシャワーヘッドを用いた作業を行うことができる。
【発明を実施するための最良の形態】
【００２６】
次に本発明の実施形態を図面に基づいて詳しく説明する。
図１及び図２において１０は水栓柱で、１２は排水口１４を有する洗い場であり、この洗い場１２の奥部から断面円形を成す柱体１６が起立している。
この柱体１６の側面（洗い場１２側の使用者から見て右側面）には、水吐水を行う単水栓からなる水栓１８が設けられている。
水栓１８は、柱体１６の右側面から右側方に突き出す水栓本体２０を有しており、その水栓本体２０の右側方端部に、吐止水の操作を行うための操作ハンドル２２が設けられている。
【００２７】
水栓本体２０には吐水と止水を行うための弁機構が内蔵されており、その弁機構が操作ハンドル２２の操作によって動作せしめられる。
この水栓本体２０の正面には、吐水口２４を有する吐水管（吐水部）２６が前方に突き出す形態で設けられている。ここで吐水管２６は先端部が前方斜め下向きを成している。
尚この水栓１８は、柱体１６の略中間の高さ位置に設けられている。
【００２８】
一方柱体１６の上部且つ水栓１８とは同じ側の右側面には、ハンガー３０が設けられている。ここでハンガー３０はペットの鎖やブラシその他小物を掛けて保持する部分である。
柱体１６のハンガー３０と略同じ高さ位置、且つハンガー３０とは反対側の側面、即ち洗い場１２側の使用者から見て左側面には、シャワーフック３２が左側方に突き出す形態で設けられている。
そしてそのシャワーフック３２に、シャワー吐水口３４を有するシャワーヘッド３６が掛止され保持されるようになっている。
【００２９】
図３に柱体１６及びシャワーフック３２の内部の構造が具体的に示してある。
図に示しているように柱体１６は内部が中空とされており中空内部に水配管としてのサプライ管３８，４０及び湯配管としてのサプライ管４２が収納されている。
ここでサプライ管３８，４０，４２はそれぞれフレキ管（フレキシブル管）にて構成されている。詳しくはゴム等の弾性チューブの外周面を可撓性の金属材にて被覆した形態のフレキシブル管にて構成されている。
これらサプライ管３８，４０及び４２は、柱体１６内部において固定状態に設けられるものであって、敢えてこれらに可撓性を持たせる必要はないものであるが、これらサプライ管３８，４０，４２としてフレキ管が用いられている理由は次の点にある。
即ち、寒冷地等においてはサプライ管３８，４０，４２内部で水が凍結を起す恐れがあり、而してそのような凍結を起すと体積膨張によってサプライ管３８，４０，４２或いはこれに繋がった水栓器具が損傷する恐れがある。そこでここではこれらサプライ管３８、４０、４２としてフレキ管を用いることで、水の凍結による体積膨張をここで吸収し、凍結による上記不具合の発生を防止するようにしている。
【００３０】
栓体１６の下部の土中に埋設される部分には接続部材４８が設けられていて、その接続部材４８の接続口４４，４６に図示を省略する外部の水配管及び湯配管がそれぞれ接続されるようになっている。
そしてこの接続部材４８の接続口４４に連通するようにして上記のサプライ管３８の下端部が接続され、また湯の接続口４６に連通するようにして湯側のサプライ管４２の下端部がかかる接続部材４８に接続されている。
【００３１】
水側のサプライ管３８と４０との間には、流路を分岐させる分岐部材５０が接続されており、水側の流路がこの分岐部材５０にて流路５２と５４とに分岐されている。
サプライ管３８を通じて給水された水は、この流路５４を通じて水栓１８における水栓本体２０内部に流入させられる。
尚５６は、流路５２を流通する水の流量を調整するための流量調整栓である。
【００３２】
柱体１６の上端部には、サプライ管３８，４０及び４２を通じて上向きに送られてきた水と湯とを所定比率で混合し、適温の温調水とするための混合部５８が設けられており、その上部に水と湯との比率を調整操作する、レバー６０を有するハンドル６２が設けられている。
ここでハンドル６２は温調水の温度調整を行うほか、上記シャワーヘッドからの吐水と止水の操作も行う。
【００３３】
混合部５８はセラミックディスクから成る固定弁体６４と可動弁体６６とを有している。
固定弁体６４には水，湯の流入口６８が設けられており、そこに上記のサプライ管４０と４２との上端部がそれぞれ接続されている。
【００３４】
固定弁体６４にはまた、流出口７２が設けられていて、その流出口７２に流出管７４の上端部が接続されている。
この混合部５８は水、湯の流入口６８から流入した水と湯とを可動弁体６６の混合室７０に流入させてそこで混合し、そして混合水を流出口７２から流出管７４へと流出させる。
そして可動弁体６６の位置を移動させることによって、水と湯との混合比率を調整し或いはまた水，湯の一方の流入口又は両方の流入口を閉鎖する。
而して両方の流入口が閉鎖された状態において、シャワーヘッド３６からの吐水が停止される。即ち止水される。
上記ハンドル６２は、この可動弁体６６に作動的に連結されており、ハンドル６２の操作によって可動弁体６６の移動操作が行われる。
尚、柱体１６の内部にはその空隙部分に保温材８６が充填されている。
【００３５】
上記シャワーフック３２の内部には、流出管７４の内部の流路に連通した流路７５が設けられており、更にこのシャワーフック３２には、流路７５に繋がる吐水部７６が外部にわずかに突き出す状態で設けられている。
ここで吐水部７６は、シャワーフック３２に下向きに設けられている。そしてこの吐水部７６に、可撓性を有するシャワーホース７８の一端部が接続されている。
【００３６】
シャワーホース７８の他端部は、図４示しているようにシャワーヘッド３６に接続されており、混合部５８で混合された温調水が、図３（Ｂ）に示す流出管７４及びシャワーフック３２の内部の流路７５、更に吐水部７６、シャワーホース７８を通じてシャワーヘッド３６へと送られるようになっている。
【００３７】
シャワーフック３２には、突出側の左端部にシャワーヘッド３６を掛止するための掛止孔（掛止部）８０が設けられており、更にこの掛止孔８０に続いて、シャワーフック３２の左端面で開口するホース通過孔８２が設けられている。
シャワーフック３２は、図４に示しているようにこの掛止孔８０にシャワーヘッド３６のテーパ形状を成す被掛止部８４を挿込状態に掛止させてこれを保持する。
【００３８】
ホース通過孔８２は、シャワーヘッド３６を掛止孔８０に掛止する際、シャワーホース７８をシャワーフック３２の軸方向に通過させるためのものである。
尚掛止孔８０は、シャワーヘッド３６における被掛止部８４のテーパ形状に対応した形状のテーパ形状を成している。
【００３９】
本実施形態においてこの掛止孔８０は、図４（Ｂ）に示しているように、シャワーヘッド３６の被掛止部８４を前方斜め上向きに傾斜した状態で保持するように、垂直方向に対して角度αで傾けて設けてある。詳しくは、掛止孔８０の軸心が垂直方向に対し角度αで傾斜する状態に設けてある。
従ってこの掛止孔８０にシャワーヘッド３６の被掛止部８４を挿し込んで掛止したとき、シャワーヘッド３６は前方斜め上向きに傾いた状態にあり、従ってそのシャワー吐水口３４の軸心が垂直方向に対し角度θで前方斜め下向きに傾斜した状態となる。
【００４０】
この実施形態では、角度θが２０°となるように掛止孔８０の傾き角度αが定められている。
尚このθは５から３５°の範囲としておくことが望ましく、このシャワーヘッドの形状に合わせて角度αを適度な角度とする。
【００４１】
以上のように本実施形態によれば、水栓本体２０が水栓柱１０の正面位置に無く、側面且つ側方に突き出していて、更に操作ハンドル２２がその側方の先端部に設けてあるため、水栓柱１０の正面においてそれら水栓本体２０や操作ハンドル２２が作業の邪魔になるといったことがなく、水栓柱１０の前方に広い作業空間を確保し得て、その広い作業空間を使って快適に水栓を用いた作業を行うことができる。
また一方で吐水部２６については水栓本体２０の正面に設けてあるため、即ち吐水を正面に向って行うことができるため、吐水を作業空間の側に向けて行うことができ、作業を良好に行うことができる。
【００４２】
また操作ハンドル２２が水栓本体２０の突出方向である側方の先端部に設けられているため、水栓本体２０及び操作ハンドル２２を含む水栓１８全体の形状，外観をすっきりとしたものとして美観を良好とすることができる。
【００４３】
本例では、シャワーフック３２もまた水栓柱１０の正面に位置せず、その側面から側方に突き出す形態を成しているため、水栓柱１０の正面の前方に広い作業空間を確保し、その前方の広い作業空間を快適に使用し得て、器具洗いその他の作業を行うことができる。
また吐水部７６が同じくシャワーフック３２に備えられているため、その吐水部７６からシャワーホース７８を延び出させてシャワーヘッド３６に接続することで、図５に示す従来の水栓装置のように水栓柱の正面位置にシャワーホースが存在して、これが邪魔になると言った問題を解決することができる。
【００４４】
またシャワーホース７８の一端と他端とが同じシャワーフック３２に位置することとなるため、シャワーホース７８が広い範囲、広い距離に亘って延在せず、作業中に身体の一部や器具等がシャワーホース７８に引っ掛かってしまって作業性が悪化するといった問題を回避できる。即ちシャワーホース７８による障害を避けて作業しなくても良いことから作業性が良好となる利点が得られる。
【００４５】
本実施形態では、シャワーフック３２の掛止孔８０によってシャワーヘッド３６の被掛止部８４を前方斜め上向きに保持するようにしてあるため、シャワーヘッド３６からのシャワー水が使用者に向って前方の遠い位置まで降りかかるといったことがなく、シャワー水をシャワーヘッド３６に近い位置に向けて下向きに吐水することができる分従って作業者はシャワーヘッド３６に近い位置で作業を行うことが可能となり、作業性良くシャワーヘッド３６を用いた作業を行うことができる。
【００４６】
以上本発明の実施形態を詳述したが、本発明は上記水栓柱以外の他の種々形態の水栓装置に適用することも可能であるなど、その種々を逸脱しない範囲において種々変更を加えた形態で構成可能である。
【図面の簡単な説明】
【００４７】
【図１】本発明の一実施形態である水栓柱の全体斜視図である。
【図２】同実施形態の水栓柱の正面図及び側面図である。
【図３】同実施形態の水栓柱の内部構造を示した要部断面図である。
【図４】同実施形態の水栓柱の作用説明図である。
【図５】従来の水栓柱の図である。
【符号の説明】
【００４８】
１０  水栓柱
１６  柱体
２０  水栓本体
２２  操作ハンドル
２６  吐水管（吐水部）
３２  シャワーフック
３４  シャワー吐水口
３６  シャワーヘッド
８０  掛止孔（掛止部）
８４  被掛止部
【図１】
0004817301.tif 000002
【図２】
0004817301.tif 000003
【図３】
0004817301.tif 000004
【図４】
0004817301.tif 000005
【図５】
0004817301.tif 000006